(57)【要約】【課題】ズーミング機能を有した交換レンズ等において、特に、高倍率ズームレンズはズーミング用鏡枠の移動量が多いうえに、ズーミング用レンズの直径が標準レンズよりも大きいため、このズーミング用レンズを保持しているズーミング用レンズ鏡枠の重量も大きくなる。撮影時、水平位置を基準とし垂直方向側にカメラを向けると、ズーミング用鏡枠の自重によるズーミング用鏡枠の移動に連動して鏡筒が像側に収縮してしまうことがある。同様に、重力方向側にカメラを向けると、鏡筒が被写体側に伸長してしまうことがある。【解決手段】ズーミング用鏡枠の自重による鏡筒の不意な伸縮を防止するため、ズーミング操作リングに圧接部材を配設することにより、鏡筒を光軸方向に伸縮ならしめる保持筒の不意な回転を防止した。【選択図】図１
2010250137.tif 000002
【特許請求の範囲】
【請求項１】
撮像光学系において、
変倍レンズ群と、
該変倍レンズ群を保持した鏡枠と、
該鏡枠を保持した鏡筒と、
該鏡筒を保持する保持筒と、
該保持筒に連動して、該保持筒を回動させることにより、該撮像光学系において変倍調節を可能ならしめる変倍調節部材とを有した交換式レンズであって、
該変倍調節部材には圧接部材が少なくとも一つ以上配設され、
該圧接部材は半径方向に前記保持筒を圧接することにより、
前記保持筒を半径方向に付勢することを特徴とする交換式レンズ。
【請求項２】
前記圧接部材は屈曲部を少なくとも一つ以上有し、前記保持筒に圧接する前記圧接部材の端部は略湾曲した形状を有することを特徴とする請求項１記載の交換式レンズ。
【発明の詳細な説明】
【技術分野】
【０００１】
本発明は撮影時、及び、撮影者の移動中におけるズーム用鏡筒の不意な伸縮を防止する部材に関する発明である。
【背景技術】
【０００２】
ズーミング機能を有した交換レンズにおいて、ズーム比が５倍を超えるような高倍率ズームは、一般的な標準ズームレンズよりもズーム時のレンズの移動量が大きく、撮影者がカメラを肩から提げているときにズーミング用鏡枠が自重で動いてしまい、レンズ全長が伸びてしまうことがある。同様にＦ値の明るい大口径ズームレンズについても、口径が大きい分レンズ群の重量が大きいため前述の高倍率ズームレンズと同様、不用意にレンズが重力方向に動いてしまう傾向がある。
【０００３】
また、撮影時、レンズ先端を上向きにすると、ズーミング用鏡枠の自重により、ズーミング用鏡枠の移動に連動して鏡筒が像側に収縮してしまうことがある。同様に、重力方向側にレンズ先端を向けると、鏡筒が被写体側に伸長してしまうことがある。
【０００４】
上記の理由により、レンズ鏡筒内部にゴム製の圧接部材を配置したものがある。ズームカムを配置したカム筒の端面にゴム製圧接部材を摺動させることにより、ズーム動作にある程度の重さと、しっとり感とを与えることができる（通称、味出しゴム）。しかし、このゴムはレンズ鏡筒の内部奥深くに配置されているため、ゴムの性能が劣化した場合の交換が非常に困難であった。また、カム筒端面の摺動であるため、圧接面積を十分に得ることができず、自重落下を防ぎきれないことがあった。
【先行技術文献】
【特許文献】
【０００５】
【特許文献１】特開２００３−２０７７０９号公報
【０００６】
特許文献１で示されている技術は上記の問題を解決するためになされたものである。ズーム筒と、固定筒に配設した負荷調整部材との間に板バネを介在させ、この負荷調整部材を回動操作することにより板バネをズーム筒へ付勢させる。この付勢力により、撮影時における撮影者が意図しないズーム筒の不意な動作を防止している。
【発明の概要】
【発明が解決しようとする課題】
【０００７】
しかし、負荷調整部材を配設するため、レンズ鏡筒を構成する部品点数が多くなる。また、撮影時にはこの負荷調節部材を操作する必要があるため、撮影操作の操作数が多くなり、シャッターチャンスを逃す可能性がある。更に、板バネの交換が容易ではなく、個体差調整やバネの力量が減衰したときの交換が困難である。
【０００８】
また近年、レンズが収納された状態でズームリングの回転を阻止するための回転ロック機構を備えたものも増えてきた。ズームリングの回転そのものを固定してしまえば、撮影者がカメラを肩から提げているときに鏡筒が自重で伸びてしまうことがない。しかしながら、伸びた状態や中間焦点距離での鏡筒の自重落下を防ぐことができない。また、ズームする際にはこのロック機構は解除しなければならず、撮影作業の手間が増えてしまう。
【課題を解決するための手段】
【０００９】
上記課題を解決するためになされた第一の発明は、撮像光学系において、変倍レンズ群と、該変倍レンズ群を保持した鏡枠と、該鏡枠を保持した鏡筒と、該鏡筒を保持する保持筒と、該保持筒に連動して、該保持筒を回動させることにより、該撮像光学系において変倍調節を可能ならしめる変倍調節部材とを有した交換式レンズであって、該変倍調節部材には圧接部材が少なくとも一つ以上配設され、該圧接部材は半径方向に前記保持筒を圧接することにより、前記保持筒を半径方向に付勢することを特徴とする交換式レンズである。
【００１０】
上記課題を解決するためになされた第二の発明は、前記圧接部材は屈曲部を少なくとも一つ以上有し、前記保持筒に圧接する前記圧接部材の端部は略湾曲した形状を有することを特徴とする請求項１記載の交換式レンズである。
【発明の効果】
【００１１】
本発明で使用している圧接部材は光軸を中心とする方向に付勢力を恒常的に発生させているため、撮影者の移動中における鏡筒の不意な伸縮が防止されることの他に、更に、撮影時において、水平位置を基準としたとき、垂直側又は、重力側にカメラを向けてもズーミング用レンズを保持した鏡枠の自重による鏡筒の伸縮が防止される。
【００１２】
また、圧接部材がレンズ鏡筒の外観部分に取り付けられているため、圧接部材の押圧力量の調整や、圧接部材が劣化した際の交換も容易である。更に、実施例に示されている「レンズ鏡筒の全長がズームにより伸縮するレンズ鏡筒」でなくとも、レンズ鏡筒内に重く自重で移動してしまうような鏡枠がある場合にも、同様の効果を得ることができる。
【図面の簡単な説明】
【００１３】
【図１】本発明を実施した交換式レンズ１を装着したカメラ本体２外観斜視図である。
【図２】本発明で用いられる鏡筒落下防止用の圧接部材ａ３の図である。
【図３】本発明で用いられる鏡筒落下防止用の圧接部材ｂ４の図である。
【図４】本発明で用いられる鏡筒落下防止用の圧接部材ｃ５の図である。
【図５】図２、図３と図４とで示されている圧接部材のＸ―Ｘ断面図である。
【図６】鏡筒落下防止用の圧接部材ａ３を交換式レンズ１のズーミング用操作リング１ｂに配設した図である。
【図７】図６におけるＹ―Ｙ断面図である。
【図８】交換式レンズ１に鏡筒落下防止用の圧接部材を２箇所配設したときの交換式レンズ１の図の横断面図である。
【図９】交換式レンズ１に鏡筒落下防止用の圧接部材を３箇所配設したときの交換式レンズ１の図の横断面図である。
【発明を実施するための形態】
【００１４】
以下、図を引用して本発明の実施例を説明する。
【００１５】
図１は本発明を実施した交換式レンズ１を装着したカメラ本体２の全体外観斜視図である。図２、図３と図４とは本発明で用いられる、鏡筒の不意な伸縮の原因となる保持筒の不意な回転を防止する、圧接部材の図である。図５は図２、図３と図４とで示されている圧接部材をＸ―Ｘ断面で見た図である。図６は圧接部材を交換式レンズ１のズーミング用操作リング１ｂに配設した図である。図７は図６において圧接部材をＹ―Ｙ断面で見た図である。図８はズーミング用操作リング１ｂに圧接部材を２箇所配設したときの交換式レンズ１の図の横断面図である。図９はズーミング用操作リング１ｂに圧接部材を３箇所配設したときの交換式レンズ１の図の横断面図である。
【００１６】
図１ではカメラ本体２に交換式レンズ１が装着されていることが示されている。本実施例の交換式レンズ１はズーミング機能を有した交換式レンズ１である。交換式レンズ１にはズーミング用操作リング１ｂとフォーカシング用操作リング１ａとが配設されており、ズーミング操作のときはズーミング用操作リング１ｂを回動操作することにより所望の倍率調整を行い、フォーカシング操作のときはフォーカシング用操作リング１ａを回動操作することによりピント調整を行うことが出来る。また、ズーミング用操作リング１ｂには圧接部材が配設され、圧接部材を配設する孔部１ｃが穿設されている。
【００１７】
図２、図３と図４とで示されている部材は本発明で使用される圧接部材であり、鏡筒の不意な伸縮の原因となる保持筒の不意な回転を防止する。この圧接部材の実施形体として圧接部材ａ３、圧接部材ｂ４と圧接部材ｃ５とがあり、本実施例においては圧接部材ａ３を用いている。また、圧接部材ａ３は金属製である。
【００１８】
図２で示されている圧接部材ａ３の形状は略矩形形状をとっている。端部には圧接部材ａ３がズーミング用操作リング１ｂにネジで螺設可能になるように取付穴３ａが２箇所穿設されている。
【００１９】
図３で示されている圧接部材ｂ４の形状は、圧接部材ａ３の内部を縦幅ｍ、横幅ｎの寸法で切り抜いたものであり、略コの字状の形状をとっている。図２で示されている圧接部材ａ３と同様に、ズーミング用操作リング１ｂにネジで螺設可能になるように取付穴４ａが２箇所穿設されている。
【００２０】
図４で示されている圧接部材ｃ５の形状は、圧接部材ａ３の内部を縦幅ｍ、横幅ｐの寸法で切り抜いたものであり、略ロの字状の形状をとっている。図２で示されている圧接部材ａ３と同様に、ズーミング用操作リング１ｂにネジで螺設可能になるように取付穴５ａが２箇所穿設されている。
【００２１】
また、図５で示されるように、圧接部材ａ３、圧接部材ｂ４、圧接部材ｃ５をＸ―Ｘ断面で見た場合、ＷとＺとの位置において２箇所で折り曲げられ、さらに、取付穴が穿設されていない端部はｒ＝Ｒの曲率で曲げられている。この折り曲げられた箇所と、ｒ＝Ｒの曲率で曲げられている箇所とにより圧接部材は弾性力を有するようになっている。
【００２２】
図６で示されるように、圧接部材ａ３がズーミング用操作リング１ｂにネジにより螺設されている。ズーミング用操作リング１ｂには圧接部材ａ３が配設可能であるように略矩形形状の孔部１ｃが穿設され、また、この孔部１ｃに隣接して取付部１ｄが配設されている。この取付部１ｄには圧接部材ａ３がネジで螺設可能であるようにネジ用孔部が２箇所穿設されている。
【００２３】
図７より、保持筒１ｅの内側にはカム筒（不図示）が配設され、カム筒（不図示）にはズーミング操作のため光軸方向に伸縮可能な鏡筒（不図示）が配設されている。この鏡筒（不図示）にはズーミングに使用されるズーミング用鏡枠（不図示）が配設されており、保持筒１ｅの回動に連動して、鏡筒（不図示）とズーミング用鏡枠（不図示）とが光軸方向に移動する。
【００２４】
また、圧接部材ａ３が配設されたズーミング用操作リング１ｂをＹ―Ｙ断面から見ると、ネジにより圧接部材ａ３がズーミング用操作リング１ｂに螺設されている。圧接部材ａ３はズーミング用操作リング１ｂの内側に配設してある保持筒１ｅに圧接し、保持筒１ｅを、光軸を中心とする方向に付勢している。
【００２５】
ズーミング用操作リング１ｂを回動操作すると、ネジにより螺設されている圧接部材ａ３が光軸を中心とした方向に保持筒１ｅを常に付勢し、この回動操作に保持筒１ｅが連動しながら、ズーミング用操作リング１ｂの回動方向と同方向へ保持筒１ｅが回動する。
【００２６】
圧接部材ａ３の付勢力により保持筒１ｅはズーミング用鏡枠の自重による回転を防止されながら、ズーミング用操作リング１ｂの回動操作に連動して回動し、鏡筒（不図示）を光軸方向に移動させることが可能となる。これにより、ズーミング用鏡枠の自重による保持筒１ｅの回転が防止されながら、ズーミング操作が行われる。
【００２７】
従って、撮影時において、水平を基準とし、垂直方向に、又は、重力方向にカメラ本体２を向けて撮影姿勢をとり、ズーミング操作を行った後にズーミング用操作リング１ｂから撮影者が手を離しても、ズーミング用鏡枠に連動している保持筒１ｅは圧接部材ａ３により付勢されているため、この保持筒１ｅはズーミング用鏡枠の自重による不意な回転が防止されるのである。
【００２８】
図８と図９とでは、圧接部材ａ３のズーミング用操作リング１ｂへの配設位置が示されている。
【００２９】
図８ではズーミング用操作リング１ｂに圧接部材ａ３が二箇所配設され、圧接部材ａ３は光軸を中心として圧接部材ａ３間の間隔が略１８０°であるように配設されている。
【００３０】
図９ではズーミング用操作リング１ｂに圧接部材ａ３が三箇所配設され、圧接部材ａ３は光軸を中心として圧接部材ａ３間の間隔が略１２０°であるように配設されている。
【００３１】
配設される圧接部材ａ３の個数が多いほど保持筒１ｅを付勢する力が大きくなり、ズーミング用鏡枠の自重による保持筒１ｅの回転が効果的に防止されるのである。
【００３２】
また、圧接部材がレンズ鏡筒の外観部分に取り付けられているため、圧接部材の押圧力量の調整や、圧接部材の性質が劣化した際の交換も容易である。更に、上記実施例のような「レンズ鏡筒の全長がズームにより伸縮するレンズ鏡筒」でなくとも、レンズ鏡筒内に重く自重で移動してしまうような鏡枠がある場合にも、同様の効果を得ることができる。
【００３３】
尚、圧接部材の形状、材質、配設位置も本実施例に限定されるものではない。以上、本発明の要旨を逸脱しない範囲において、種々なる態様で実施することができる。
【符号の説明】
【００３４】
１  交換式レンズ
１ａ  フォーカシング用操作リング
１ｂ  ズーミング用操作リング
１ｃ  孔部
１ｄ  取付部
１ｅ  保持筒
２  カメラ本体
３  圧接部材ａ
３ａ  取付穴
４  圧接部材ｂ
４ａ  取付穴
５  圧接部材ｃ
５ａ  取付穴
【図１】
2010250137.tif 000003
【図２】
2010250137.tif 000004
【図３】
2010250137.tif 000005
【図４】
2010250137.tif 000006
【図５】
2010250137.tif 000007
【図６】
2010250137.tif 000008
【図７】
2010250137.tif 000009
【図８】
2010250137.tif 000010
【図９】
2010250137.tif 000011